(57)【要約】マルチメディアＭＭＳメッセージを送受信するマルチメディア・メッセージングシステムである。ＭＭＳメッセージがＭＭＳサーバに送信され、受信者のＭＳＩＳＤＮ番号に宛てられる。ＭＭＳサーバは通知をＷＡＰプッシュとして受信者の移動体機器に送信するＰＡＰサーバにその通知を送信し、その移動体機器にメッセージを取り出すように伝える。もし、受信者の移動体機器がインターネットと進行中或いは専用セションに従事しているなら、その通知はそのセション中に受信者の移動体機器に送信される。それから、受信者の移動体機器はＨＴＴＰ  ＧＥＴ要求を起こしてＰＬＭＮの音声或いはデータチャネルを介してマルチメディアメッセージを取り出す。もし、受信者の移動体機器がインターネットと進行中或いは専用セションに従事していないなら、その通知はシグナリング・チャネルを介してベアラとしてＳＭＳを用いてＷＡＰプッシュとして受信者の移動体機器に送信される。それから、受信者の移動体機器はＨＴＴＰ  ＧＥＴ要求を起こしてＰＬＭＮの音声或いはデータチャネルを介してマルチメディアメッセージを取り出す。
2004518355.tif 000002
【特許請求の範囲】
【請求項１】
マルチメディアメッセージを移動体機器に送信する方法であって、
前記マルチメディアメッセージをサーバに送信する工程と、
前記サーバから前記移動体機器への通知を送信する工程と、
前記通知の受信に応答して前記サーバからの前記マルチメディアメッセージを自動的に取り出す工程と、
前記マルチメディアメッセージを前記移動体機器に格納する工程とを有し、
前記通知は前記サーバのアドレスを含み、前記サーバからのマルチメディアメッセージが前記移動体機器により取り出しされるように利用可能であることを示していることを特徴とする方法。
【請求項２】
前記移動体機器は移動電話であることを特徴とする請求項１に記載の方法。
【請求項３】
別の移動体機器から前記サーバへ前記マルチメディアメッセージを送信する工程をさらに有することを特徴とする請求項１に記載の方法。
【請求項４】
前記移動体機器と前記別の移動体機器とは移動電話であることを特徴とする請求項３に記載の方法。
【請求項５】
前記移動電話は、ＭＳＩＳＤＮでアドレスされる同じの或いは異なるＰＬＭＮに在ることを特徴とする請求項４に記載の方法。
【請求項６】
ベアラとしてＳＭＳを用い、前記移動体機器のＭＳＩＳＤＮ番号にアドレスされた前記通知を送信する工程をさらに有することを特徴とする請求項７に記載の方法。
【請求項７】
前記サーバはＭＭＳサーバであることを特徴とする請求項１に記載の方法。
【請求項８】
前記ＭＭＳサーバからＰＡＰサーバに通知を送信する工程と、
前記ＰＡＰサーバからの前記通知を前記移動体機器に送信する工程とをさらに有し、
前記通知はＷＡＰプッシュを含むことを特徴とする請求項７に記載の方法。
【請求項９】
前記移動体機器からのＨＴＴＰ  ＧＥＴリクエストを送信して自動的に前記マルチメディアメッセージを取り出す工程をさらに有することを特徴とする請求項８に記載の方法。
【請求項１０】
別の移動体機器からの前記マルチメディアメッセージを前記ＭＭＳサーバに送信する工程をさらに有することを特徴とする請求項８に記載の方法。
【請求項１１】
マルチメディアメッセージを移動体機器に送信する方法であって、
送信者のサーバに最初にマルチメディアメッセージをサーバに送信する工程と、
前記送信者のサーバから前記移動体機器への通知を送信する工程と、
前記通知の受信に応答して、前記送信者のサーバからの前記マルチメディアメッセージを取り出すための要求を、前記移動体機器から前記移動体機器のサーバに送信する工程と、
前記移動体機器のサーバにより前記送信者のサーバからの前記マルチメディアメッセージを取り出す工程と、
前記移動体機器により前記移動体機器のサーバからの前記マルチメディアメッセージを取り出す工程と、
前記マルチメディアメッセージを前記移動体機器に格納する工程とを有し、
前記通知は前記送信者のサーバのアドレスを含み、前記送信者のサーバからのマルチメディアメッセージが前記移動体機器により取り出しされるように利用可能であることを示しており、
前記要求は前記送信者のサーバのアドレスを含んでいることを特徴とする方法。
【請求項１２】
前記移動体機器は移動電話であることを特徴とする請求項１１に記載の方法。
【請求項１３】
別の移動体機器から前記送信者のサーバへ前記マルチメディアメッセージを送信する工程をさらに有することを特徴とする請求項１１に記載の方法。
【請求項１４】
前記移動体機器と前記別の移動体機器とは移動電話であることを特徴とする請求項１３に記載の方法。
【請求項１５】
前記移動電話は、ＭＳＩＳＤＮでアドレスされる同じの或いは異なるＰＬＭＮに在ることを特徴とする請求項１４に記載の方法。
【請求項１６】
ベアラとしてＳＭＳを用い、前記移動体機器のＭＳＩＳＤＮ番号にアドレスされた前記通知を送信する工程をさらに有することを特徴とする請求項１１に記載の方法。
【請求項１７】
前記送信者のサーバと前記移動体機器のサーバとはＭＭＳサーバであることを特徴とする請求項１１に記載の方法。
【請求項１８】
前記送信者のＭＭＳサーバからＰＡＰサーバに前記通知を送信する工程と、
前記ＰＡＰサーバからの前記通知を前記移動体機器に送信する工程とをさらに有し、
前記通知はＷＡＰプッシュを含むことを特徴とする請求項１７に記載の方法。
【請求項１９】
前記ＷＡＰプッシュに応答して前記移動体機器からのＨＴＴＰ  ＧＥＴリクエストを送信して自動的に前記マルチメディアメッセージを取り出す工程をさらに有することを特徴とする請求項１８に記載の方法。
【請求項２０】
別の移動体機器からの前記マルチメディアメッセージを前記送信者のＭＭＳサーバに送信する工程をさらに有することを特徴とする請求項１７に記載の方法。
【請求項２１】
マルチメディアメッセージを移動体機器に送信するシステムであって、
サーバには、
マルチメディアメッセージを受信し、
前記マルチメディアの受信に応答して前記移動体機器に通知を送信するように構成されたロジックを有し、
前記移動体機器には
前記通知に応答して前記サーバからの前記マルチメディアメッセージを自動的に取り出し、
前記マルチメディアメッセージを前記移動体機器に格納するように構成されたロジックを有し、
前記通知は前記サーバのアドレスを含み、前記サーバからのマルチメディアメッセージが前記移動体機器により取り出しされるように利用可能であることを示していることを特徴とするシステム。
【請求項２２】
前記移動体機器は移動電話であることを特徴とする請求項２１に記載のシステム。
【請求項２３】
さらに別の移動体機器には、
前記別の移動体機器から前記サーバへ前記マルチメディアメッセージを送信するように構成されたロジックを有することを特徴とする請求項２１に記載のシステム。
【請求項２４】
前記移動体機器と前記別の移動体機器とは移動電話であることを特徴とする請求項２３に記載のシステム。
【請求項２５】
前記移動電話は、ＭＳＩＳＤＮでアドレスされる同じの或いは異なるＰＬＭＮに在ることを特徴とする請求項２４に記載のシステム。
【請求項２６】
前記通知はベアラとしてＳＭＳを用いて送信され、前記移動体機器のＭＳＩＳＤＮ番号にアドレスされることを特徴とする請求項２１に記載のシステム。
【請求項２７】
前記サーバはＭＭＳサーバであることを特徴とする請求項２１に記載のシステム。
【請求項２８】
さらにＰＡＰサーバには、
前記ＭＭＳサーバからの通知を受信し、
前記ＰＡＰサーバからの前記通知を送信するように構成されたロジックを有し、
前記通知はＷＡＰプッシュを含むことを特徴とする請求項２７に記載のシステム。
【請求項２９】
さらに前記移動体機器には、
前記ＷＡＰプッシュに応答して、ＨＴＴＰ  ＧＥＴリクエストを前記ＭＭＳサーバに送信するように構成されたロジックを有することを特徴とする請求項２８に記載のシステム。
【請求項３０】
さらに別の移動体機器には、
前記別の移動体機器から前記ＭＭＳサーバへ前記マルチメディアメッセージを送信するように構成されたロジックを有することを特徴とする請求項２６に記載のシステム。
【請求項３１】
マルチメディアメッセージを移動体機器に送信するシステムであって、
送信者のサーバには、
最初にマルチメディアメッセージを受信し、
前記移動体機器へ前記マルチメディアメッセージの通知を送信するように構成されたロジックを有し、
前記移動体機器には、
前記通知の受信に応答して、前記送信者のサーバのアドレスを含んだ、前記移動体機器のサーバへの要求を送信し、
前記送信者のサーバから前記マルチメディアメッセージを取り出し、
前記マルチメディアメッセージを前記移動体機器に格納するように構成されたロジックを有し、
前記移動体機器のサーバには、
前記送信者のサーバからの前記マルチメディアメッセージを取り出すように構成されたロジックを有することを特徴とするシステム。
【請求項３２】
前記移動体機器は移動電話であることを特徴とする請求項３１に記載のシステム。
【請求項３３】
前記送信者のサーバへ前記マルチメディアメッセージを送信するように構成されたロジックを有する別の移動体機器をさらに有することを特徴とする請求項３１に記載のシステム。
【請求項３４】
前記移動体機器と前記別の移動体機器とは移動電話であることを特徴とする請求項３３に記載のシステム。
【請求項３５】
前記移動電話は、ＭＳＩＳＤＮでアドレスされる同じの或いは異なるＰＬＭＮに在ることを特徴とする請求項３４に記載のシステム。
【請求項３６】
前記通知は、ベアラとしてＳＭＳを用い、前記移動体機器のＭＳＩＳＤＮ番号にアドレスされて、前記送信者のサーバから前記移動体機器に送信されることを特徴とする請求項３１に記載のシステム。
【請求項３７】
前記送信者のサーバと前記移動体機器のサーバとはＭＭＳサーバであることを特徴とする請求項３１に記載のシステム。
【請求項３８】
前記送信者のＭＭＳサーバからの通知を受信し、
前記通知を前記移動体機器に送信するように構成されたロジックを有するＰＡＰサーバをさらに有し、
前記通知はＷＡＰプッシュを含むことを特徴とする請求項３７に記載のシステム。
【請求項３９】
前記移動体機器には、
前記ＷＡＰプッシュに応答して前記移動体機器のＭＭＳサーバに、ＨＴＴＰ  ＧＥＴリクエストを送信するよう構成されたロジックをさらに有することを特徴とする請求項３８に記載のシステム。
【請求項４０】
さらに別の移動体機器には、
前記別の移動体機器から前記送信者のＭＭＳサーバに前記マルチメディアメッセージを送信するように構成されたロジックを有することを特徴とする請求項３８に記載のシステム。
【発明の詳細な説明】
【０００１】
背      景
本発明は、マルチメディア・メッセージング・サービス（ＭＭＳ）に関し、特に、公衆陸上移動体ネットワーク（ＰＬＭＮ）、そして、もし必要とされるなら、公衆交換電話ネットワーク（ＰＳＴＮ）と別のＰＬＭＮも介して、受信側の移動体機器にＭＭＳメッセージ通知を送信することに関するものである。
【０００２】
近年になり、移動体機器のユーザ、例えば、移動電話とページャーは、ショート・メッセージング・サービス（ＳＭＳ）を用いて互いにメッセージを送信している。汎欧州デジタル移動電話方式の（ＧＳＭ）ネットワークでは、移動体無線ネットワークがＳＭＳを利用している。メッセージは、送信者と受信者夫々の移動体サービスの統合サービスデジタルネットワーク（ＭＳＩＳＤＮ：Ｍｏｂｉｌｅ Ｓｅｒｖｉｃｅ Ｉｎｔｅｇｒａｔｅｄ Ｓｅｒｖｉｃｅｓ Ｄｉｇｉｔａｌ Ｎｅｔｗｏｒｋ）番号を用いて、送信者と受信者との間で調整される。これらは本質的には、移動体機器の電話番号である。ＳＭＳは移動体無線通信ネットワークに組み込まれ、従って、それは移動体無線ネットワークのアドレッシングとルーティングシステムを用いてメッセージを、そのネットワークに接続された移動体機器に送信する。ＳＭＳフレームワークはマルチメディアメッセージングには用いることができない。なぜなら、それは非常に限定されたサイズ（最大１６０文字）のＡＳＣＩＩテキストメッセージを搬送できるに過ぎないからである。これは、ＳＭＳメッセージが移動体無線ネットワークのシグナリング・チャネルによって送信されているためである。
【０００３】
過去数年の間に、インターネットによる電子メールの通信が激増してきた。電子メールのメッセージはシンプル・メール・転送プロトコル（ＳＭＴＰ：Ｓｉｍｐｌｅ Ｍａｉｌ Ｔｒａｎｓｆｅｒ Ｐｒｏｔｏｃｏｌ）と電子メール・アドレスとを用いて、インターネット上をルーティングされる。インターネットを用いて電子メールのメッセージを送信することを願っている人々には、個々に割当てられた電子メールアドレスをもつ電子メールのアカウントが提供される。インターネットはコンピュータが共通のネットワークを介して互いに通信できるように創成された。これにより、次に、コンピュータのユーザは情報とメッセージを互いに共有することが可能になる。インターネットに接続されたコンピュータ間の通信は、転送制御プロトコル／インターネットプロトコル（ＴＣＰ／ＩＰ）を用いて可能になる。このネットワークプロトコルは、分散ハードウェアアーキテクチュアのコンピュータと種々のオペレーティングシステムとの間で、相互接続されたネットワークをまたぐ通信を提供している。電子メールを送信したいというユーザの熱意の一部は、一般には制限のないサイズのアタッチメントを含む電子メールの能力から生じている。これらのアタッチメントは、画像ファイル、ビデオファイル、サウンドファイル、ビデオとサウンドの複合ファイルを含んでいる。従って、友人や家族の成員はマルチメディアファイルを自分の電子メールに付加して、写真、サウンド、ビデオを互いに共有してコミュニケーションの経験を高めることができる。
【０００４】
パソコンと比較して、移動体機器は電池の制限と小型機器への消費者の要求のために処理能力には制限がある。電子メールを移動体機器に、また、移動体機器から送受信することができる一方で、その処理はやっかいで制限がある。移動体機器で電子メールを用いることの主要な問題の１つは、システムとログイン手順の複雑さである。別の問題は、電子メールを受信者に押し出すことができないという点にある。その代わりに、受信者はインターネットに接続されたサーバから新しいメッセージを引き出さねばならない。さらに別の問題は、何であれ、電子メールのメッセージ内容には制限がないという点である。それ故に、移動体機器或いは移動体無線通信ネットワークを圧倒するサイズやフォーマットの分からないアタッチメントが含まれるかもしれない。
【０００５】
技術は進歩しているので、移動体無線ネットワークのバンド幅は非常に広くなった。この拡張されたバンド幅は移動体機器のユーザがより大きなメッセージを互いに送信することを可能にする。これらより大きなメッセージは、テキスト、画像、ビデオ、及びサウンドを含むことができる。加えて、移動体機器の処理能力とメモリ容量も改善され、マルチメディアメッセージが移動体機器に格納され、呈示されることが可能になっている。それ故に、今や、マルチメディアメッセージを移動体機器のユーザに送信することが可能であり、それが望まれている。第３世代パートナーシッププロジェクト（３ＧＰＰ）はＭＭＳの標準化を開始し、そこでは、第１版（リリース９９）の要求が次の文書で定義された。それは、ｗｗｗ．３ｇｐｐ．ｏｒｇ／ｆｔｐ／Ｓｐｅｃｓ／から利用可能であるマルチメディア・メッセージング・サービス：サービス・アスペクト；ステージ１，第３世代パートナーシッププロジェクトＴＳ２２．１４０リリース１９９９、及び、ｗｗｗ．３ｇｐｐ．ｏｒｇ／ｆｔｐ／Ｓｐｅｃｓ／から利用可能であるマルチメディア・メッセージング・サービス：機能の記載；ステージ２，第３世代パートナーシッププロジェクトＴＳ２３．１４０リリース１９９９である。これらの文書は両方ともここで、参照により本願に組み込まれる。
【０００６】
ＭＭＳはＳＭＳメッセージングシステムの人気から発展し、無線アプリケーションプロトコル（ＷＡＰ）を用いている。ＷＡＰは移動体機器が移動体無線通信ネットワークを介してインターネットサーバと通信するのを可能にするプロトコルである。移動体機器のディスプレイは（通常、１５０×１５０画素で）コンピュータのモニタディスプレイ（通常、少なくとも６４０×４８０画素）よりはるかに小さく、コンピュータモニタで表示されるように設計されたウェブサイトは移動体機器には実用的には表示できない。また、移動体機器はパソコンと比較してかなり処理能力が低い。従って、ＷＡＰが開発されて移動体機器が、移動体機器に表示され、移動体機器とインターネットとの間のインタフェースを提供するように設計された特別なインターネットのサイトにアクセス可能になっている。ＷＡＰが利用可能な移動体機器のユーザはインターネットに移動体無線通信ネットワークを介してアクセスし、ショッピングをしたり、株式銘柄を取得したり、交通情報や天候の情報を取得するなどできる。
【０００７】
ＭＭＳはマルチメディアメッセージを送受信する標準である。マルチメディアメッセージはフォーマット化されたテキスト、画像、写真、オーディオ、及びビデオクリップの内、いずれの組み合わせも含むことができる。その画像は、ＧＩＦやＪＰＥＧなどのような何らかの標準フォーマットでも良い。ＭＰＥＧ４のようなビデオフォーマットやＭＰ３やＭＩＤＩのようなオーディオフォーマットもＭＭＳによってサポートされる。ＷＡＰのＭＭＳ仕様は、次の文書において、必須のステアリングフィールド（カプセル化された文書）を備えた端末におけるＭＭＳプロキシリレーからユーザのエージェントへのＭＭＳメッセージについてのフォーマットと、これらのメッセージのシーケンス（メッセージ・サービス・ドキュメント）とを記載している。その文書とは、ｗｗｗ．３ｇｐｐ．ｏｒｇ／ｆｔｐ／Ｓｐｅｃｓ／から利用可能であるマルチメディア・メッセージング・サービス：サービス・アスペクト；ステージ１，第３世代パートナーシッププロジェクトＴＳ２２．１４０リリース４（Ｖ４．１．０）、及び、ｗｗｗ．３ｇｐｐ．ｏｒｇ／ｆｔｐ／Ｓｐｅｃｓ／から利用可能であるマルチメディア・メッセージング・サービス：機能の記載；ステージ２，第３世代パートナーシッププロジェクトＴＳ２３．１４０リリース４（Ｖ４．２．０）である。これらの文書は両方ともここで、参照により本願に組み込まれる。
【０００８】
ＭＭＳメッセージの典型的なフォーマットは図１に図示されている。ＭＭＳメッセージはヘッダ１を含む。ヘッダ１はルーティング情報とＭＭＳメッセージの送受信者のアドレスとを提供する。そのメッセージ本体２はマルチメディアメッセージを含み、そのメッセージは、ＪＰＥＧ形式であるかもしれない画像３、フォーマット化された或いは平文のテキスト４、ウェーブ（ｗａｖｅ）ファイル形式であるかもしれないオーディオ５、ＭＰＥＧファイル形式であるかもしれないビデオ６を含み、オプションとしてはマルチメディアメッセージの受信者にマルチメディアの内容を提示するプレゼンテーションファイル７を含んでも良い。
【０００９】
部分的には、移動体機器での電子メールを用いることに関連した前述の問題を克服するためのＭＭＳが創成された。ＳＭＳメッセージは短いものであり、移動体無線通信ネットワークのシグナリング・チャネルでそのメッセージが送信されるようにしている。ＭＭＳメッセージははるかに大きく、その移動体無線通信ネットワークの音声或いはデータチャネルにより送信されることを要求している。ＭＭＳはインターネットと通信との間の“ボーダ（境界）”において定義される新しいメッセージングフレームワークとして理解される。即ち、クライアントは移動体通信ネットワークに接続され、サーバはインターネットに接続されている。ＭＭＳメッセージは、移動体機器とＭＭＳサーバとの間で、ＷＡＰを用いた移動体機器とＭＭＳサーバとの間での専用セション期間に、音声或いはデータチャネルにより送信される。これは、モデムとダイヤルアップ接続を用いたパソコンとインターネットとの間でのセションに似たものとして類推的に説明できる。
【００１０】
ＳＭＳにおいて、メッセージは各移動体機器のＭＳＩＳＤＮ番号を用いて移動体通信ネットワークにより送受信される。同様に、ＭＭＳメッセージは受信者のＭＳＩＳＤＮ番号にアドレスされる。前に検討したように、ＭＭＳはＳＭＴＰを用いてインターネットを介してルーティングされる。このことは、一度、メッセージが送信者のＭＭＳサーバへと達したなら、そのＭＭＳサーバはそのメッセージを受信者のＭＭＳサーバへとルーティングすることを望むが、受信者のＭＭＳサーバアドレスがわからないので、問題となる。そのＭＭＳメッセージはそれだけでは受信者のＭＭＳサーバについて何の示唆も提供しない受信者のＭＳＩＳＤＮ番号に対してのみアドレスされるかもしれない。従って、受信者のＭＭＳサーバアドレスを受信者のＭＳＩＳＤＮ番号に関連付ける方法が必要となる。
【００１１】
それ故に、必要とされることは、受信者にマルチメディアメッセージをそのマルチメディアメッセージの送信者により移動体無線通信ネットワークを介して通知し、受信者の移動体機器にインターネットからマルチメディアメッセージを取り出すように伝えるシステムと方法である。これにより、このシステムと方法は、メッセージがＭＳＩＳＤＮ番号のみでアドレスされたとき、インターネットを介してＭＭＳメッセージをルーティングする問題を除去している。
【００１２】
要      約
前述の目的などは、インターネットを介してメッセージをルーティングするために用いるＭＭＳルーティング方法やシステムにおいて達成される。本発明を１つの側面から見るならば、ＳＭＳ通知が移動体機器に送信される。ここで、そのＳＭＳ通知はマルチメディアメッセージがその移動体機器により取り出して利用可能であることを示すものである。そのＳＭＳ通知の受信に応答して、マルチメディアメッセージは自動的に取り出され、移動体機器に格納される。
【００１３】
本発明を別の面から見るならば、ＷＡＰ通知が移動体機器に送信される。ここで、そのＷＡＰ通知はマルチメディアメッセージがその移動体機器により取り出して利用可能であることを示すものである。そのＷＡＰ通知の受信に応答して、マルチメディアメッセージは自動的に取り出され、移動体機器に格納される。
【００１４】
本発明を別の面から見るならば、サーバには、マルチメディアメッセージの受信に応答して、移動体機器にＳＭＳ通知を送信するように構成されたロジックがある。移動体機器にはＳＭＳ通知を受信するように構成されたロジックがあり、その通知はマルチメディアメッセージがその移動体機器により取り出して利用可能であることを示すものである。そのＳＭＳ通知の受信に応答してそのマルチメディアメッセージを自動的に取り出して、その移動体機器に格納するように構成されたロジックがある。
【００１５】
本発明を別の面から見るならば、サーバには、マルチメディアメッセージの受信に応答して、移動体機器にＷＡＰ通知を送信するように構成されたロジックがある。移動体機器にはＷＡＰ通知を受信するように構成されたロジックがあり、その通知はマルチメディアメッセージがその移動体機器により取り出して利用可能であることを示すものである。そのＷＡＰ通知の受信に応答してそのマルチメディアメッセージを自動的に取り出して、その移動体機器に格納するように構成されたロジックがある。
【００１６】
本発明の目的と利点とは、添付図面に関連した次の詳細な記述を読むことにより理解されるであろう。
【００１７】
発  明  の  詳  細  な  説  明
さて、本発明の種々の特徴について図面を参照して説明する。その図面では同じ部分は同じ参照記号によって認識される。
【００１８】
次の記載では、限定の目的ではなく説明の目的で、具体的な詳細が説明され本発明の完全な理解を提供している。しかしながら、当業者には、本発明がこれら具体的な詳細からは離れた別の実施形態において実施されることが明白である。別の例では、公知の方法、機器、ネットワークの種類、及び回路の詳細な説明は省略され、本発明の説明があいまいなものにならないようにしている。
【００１９】
ＭＭＳは移動体無線通信ネットワークとインターネットとの間のギャップを埋めることを追求した新しいメッセージングフレームワークとして説明できる。即ち、移動体機器のユーザは移動体無線通信ネットワークを介して互いにメッセージを送信し、そして、インターネットに接続されたユーザはシンプル・メール・転送プロトコル（ＳＭＴＰ：Ｓｉｍｐｌｅ Ｍａｉｌ Ｔｒａｎｓｆｅｒ Ｐｒｏｔｏｃｏｌ）と電子メール・アドレスとを用いてインターネットに接続されたサーバを介して互いに通信している。しかしながら、インターネットを介してＭＳＩＤＳＮ番号でアドレスされた移動体機器からのルーティング・メッセージは依然として解決されていない問題である。
【００２０】
従来技術によるＭＭＳトラフィック・ルーティング・シーケンスは図２に図示されている。移動体機器１０のユーザは、そのユーザが他の移動体機器２４に送信したいと思っているＭＭＳメッセージをもっている。移動体機器１０はそのＭＭＳメッセージをＰＬＭＮ  Ｘ１２を介してＭＭＳサーバ１４に送信する。そのＭＭＳサーバはメッセージをＳＭＴＰと電子メールアドレスとを用いてインターネットを介してルーティングする。移動体機器１０によって送信されるメッセージは受信者のＭＳＩＳＤＮ番号に宛てられているので、ＭＭＳサーバ１４はその受信者のＭＭＳサーバのアドレスを決定してそのマルチメディアメッセージを受信者のＭＭＳサーバにルーティングしなければならない。もし、ＭＭＳサーバ１４がそのＭＳＩＳＤＮ番号により受信者の移動体機器２４のＭＭＳサーバを識別できるなら、そのマルチメディアメッセージはＳＭＴＰと受信者のＭＭＳサーバの電子メールアドレスとを用いてインターネットを介して受信者のＭＭＳサーバ１８にルーティングされる。その時、ＭＭＳサーバ１８はマルチメディアメッセージの通知をプッシュ・アクセス・プロトコル（ＰＡＰ）サーバ２０に送信する。ＰＡＰサーバ２０はＷＡＰフォーラム標準を用いてメッセージを移動体機器２４に対して押し出すプッシュゲートウェイである。ＰＡＰサーバ２０は、第２の公衆陸上移動体ネットワークＹ（ＰＬＭＮ  Ｙ）２２を介して移動体機器２２に対する通知を送信する。受信者の移動体機器２４はＭＭＳメッセージをＰＬＭＮ  Ｙ２２を介してＭＭＳサーバ１８から引き出す。移動体機器２４の引き出しに応答して、ＭＭＳサーバ１８は受信者の移動体機器２４へのマルチメディアメッセージをＰＬＭＮ  Ｙ２２を介してルーティングする。マルチメディアメッセージは移動体機器２４で受信され、そのメッセージは移動体機器２４のユーザに呈示、再生、或いは表示される。
【００２１】
このルーティングシステムの主要な欠点は、送信者のＭＭＳサーバが受信者のＭＭＳサーバへのルーティングを決定しなければならない点である。移動体機器１０から送信されるＭＭＳメッセージが受信者のＭＳＩＳＤＮ番号に対してのみ宛てられているので、ＭＭＳサーバは、その受信者のＭＳＩＳＤＮ番号に基づいて受信者のＭＭＳサーバについてのアドレスを決定しなければならない。ＭＭＳサーバは受信者のＭＳＩＳＤＮ番号を受信者のＭＭＳサーバに関連付けすることができず、ＭＭＳメッセージをルーティングすることを不可能してしまうかもしれない。もし、送信側の移動体機器１０と受信側の移動体機器２４とが同じＭＭＳサーバを共用しているなら、そのＭＭＳメッセージを別のＭＭＳサーバへと転送する必要はない。しかしながら、ＭＭＳメッセージのルーティングは依然として解決されておらず、複雑なものであると言える。
【００２２】
ＭＳＩＳＤＮ番号と、ＳＭＴＰ及び電子メールアドレスとを調整する問題に対する１つの提案された解決策は、ＥＮＵＭである。頭字語であるＥＮＵＭは、完全な国際電話番号を取り、これをドメイン・ネーム・システム（Ｄｏｍａｉｎ Ｎａｍｅ Ｓｙｓｔｅｍ：ＤＮＳ）に基づくアーキテクチュアを用いて、一連のユニフォーム・リソース・ローケータ（Ｕｎｉｆｏｒｍ Ｒｅｓｏｕｒｃｅ Ｌｏｃａｔｏｒｓ：ＵＲＬ）へと分解するインターネット・エンジニアリング・タスク・フォース（ＩＥＴＦ）プロトコルに言及するものである。ＥＮＵＭは、ドメイン・ネーム・システム（Ｄｏｍａｉｎ Ｎａｍｅ Ｓｙｓｔｅｍ：ＤＮＳ）環境において、ＭＳＩＳＤＮ番号をＵＲＬアドレスへと変換する未完の標準である。ＥＮＵＭに基づくサーバは、ＭＳＩＳＤＮから電子メールへの変換を可能にするために、全てのＭＭＳサーバに利用可能でなければならない。ＥＮＵＭはドメイン・ネーム・システム（Ｄｏｍａｉｎ Ｎａｍｅ Ｓｙｓｔｅｍ：ＤＮＳ）に基づいている。ＭＳＩＳＤＮ番号からＳＭＴＰと電子メールアドレスへの変換は、インターネットを介してマルチメディアメッセージを受信者の移動体機器にアクセス可能なＭＭＳサーバにルーティングすることを可能にする。ＭＳＩＳＤＮ番号の国コードはそのメッセージを、その国において、ＥＮＵＭサーバへとルーティングするのに用いられる。各国はＭＭＳメッセージをその国のユーザにルーティングするためのデータベースを維持している。しかしながら、ＥＮＵＭ標準の展開は費用がかかり、各国での異なる社会経済的なレベルのために不均等に分散されるものとなっている。このことは、システムが全てのＭＭＳメッセージを意図する受信者へと配信できなくすることにつながってしまう。別の複雑なことは、もし、ＥＮＵＭ標準が多数の場所にインストールされることになるなら、ユーザが追加されたり、削除されたり、自分の電子メールアドレスを変更したり、ＭＳＩＤＳＮ番号を変更したり、或いはサービスプロバイダを変更するが同じＭＳＩＳＤＮ番号は維持、即ち、番号可搬性は維持するときに、全てのインストールを連続的に更新することは困難であるかもしれない。
【００２３】
別の可能性のある解決策はＭＭＳサーバ内の内部テーブルである。このテーブルは、ユーザが自分の移動電話のサービスプロバイダやインターネットサービスプロバイダ（ＩＳＰ）を変更する毎に更新される必要がある。例えば、ユーザは、そのユーザの移動電話のサービスプロバイダによって提供されるものの代わりに、そのユーザのＩＳＰのＭＭＳサーバアドレスを用いることを望むかもしれない。このことは、その移動電話のサービスプロバイダが内部テーブルを更新してそのユーザのＭＳＩＳＤＮ番号がＩＳＰに属するＭＭＳサーバのアドレスを示すようにしなければならないことを意味する。ユーザの移動電話のサービスプロバイダはこの更新を行なうことが必要であるだけではなく、他の全てのＭＭＳサーバも自分の内部データベースを更新して全てのＭＭＳサーバがそのユーザのＩＳＰの新しいルーティングアドレスに気づくようにしなければならない。このことはおそらく、あまりにも多くの更新を発生させる原因となり、そのテーブルが同期しなくなる原因ともなる。全てのテーブルが同期しないと、そのテーブルのデータのいくつかは誤りとなり、いくつかのマルチメディアメッセージが意図された受信者にルーティングされるのを不可能にしてしまうであろう。
【００２４】
本発明は図２に図示されたＭＭＳトラフィック・ルーティング・シーケンスに伴う前述の問題を、データベースのテーブルとＥＮＵＭの複雑な変換方式を必要とせずに解決する。
【００２５】
本発明のＭＭＳルーティングシステムと方法の実施形態が図３に図示されている。移動体機器２６のユーザは、そのユーザが他の移動体機器３８に送信したいと思っているＭＭＳメッセージをもっている。そのＭＭＳメッセージは移動体機器２６からマルチメディア・メッセージング・サービス・センタ（ＭＭＳ−Ｃ）２９に送信される。そのセンタは、インターネットとの進行中或いは専用セションの間、ＰＬＭＮ  Ｘ２８を介してＭＭＳサーバ３０を含んでいる。ＭＭＳ−Ｃ２９はＭＭＳサーバとＭＭＳプロキシ・リレイとの複合体であり、ＭＭＳ−Ｃ２９に対する加入者についてのＭＭＳメッセージを扱う。そのＭＭＳメッセージは、ＰＬＭＮ  Ｘ２８の音声或いはデータチャネルを用いてＭＭＳ−Ｃ２９とＭＭＳサーバ３０に送信される。そのＭＭＳメッセージは初期的には移動体機器２６において生成されたＷＡＰメッセージであり、ＨＴＴＰを介してＭＭＳ−Ｃに到達する。通知がＭＭＳサーバ３０からプッシュ・アクセス・プロトコル（ＰＡＰ）サーバ３２に送信される。ＰＡＰサーバ３２はＷＡＰを用いてメッセージを押し出すプッシュゲートウェイである。
【００２６】
受信者の移動体機器３８が、通知が送信される時点でインターネットと進行中或いは専用セションに携わっている場合、ＰＡＰサーバは、送信者と受信者の移動体機器が同じＰＬＭＮを用いていると仮定すれば、ＷＡＰを用いて受信者の移動体機器３８に直接、通知を送信できる。もし、その移動体機器がインターネットとの専用セションに従事しておらず、そしてＭＭＳサーバと同じＰＬＭＮを用いているなら、ＭＭＳメッセージの通知がＭＭＳのベアラとしてＳＭＳを用いて、共通のＰＬＭＮを介して送信される。即ち、受信者の移動体機器のＭＳＩＳＤＮ番号が用いられて、ＳＭＳメッセージとしてＭＭＳメッセージ通知を受信者の移動体機器に送信することにより、ＭＭＳメッセージ通知をルーティングする。もし受信者の移動体機器が共通のＰＬＭＮ以外のＰＬＭＮに接続されているなら、ＳＭＳメッセージはＰＳＴＮ（不図示）を介してＰＬＭＮ  Ｘ２８から受信者の移動体機器のＰＬＭＮ  Ｙ３６にルーティングされ、受信者の移動体機器に配信される。その通知が送信者のＭＭＳ−Ｃ２９からＰＡＰサーバを介して受信者の移動体機器に、その通知のベアラとしてＳＭＳを用いて送信されるので、ＭＭＳメッセージが送信者のＭＭＳ−Ｃ２９によりインターネットを介してルーティングされることはないので、アドレス変換を行なう必要はない。
【００２７】
いずれの場合でも、ＳＭＳメッセージが受信者の移動体機器３８に到達する。そのＳＭＳメッセージはＷＡＰプッシュであるＭＭＳメッセージ通知を含んでいる。移動体機器３８はそのＳＭＳメッセージから自動的にＷＡＰプッシュを抽出するように構成されると良い。そのＷＡＰプッシュに応答して、受信者の移動体機器３８はインターネットとの専用セションを開始し、ＷＡＰを用いてＨＴＴＰ  ＧＥＴ要求を送信して、ＰＬＭＮの音声或いはデータチャネルを介して移動体機器２６により送信されたＭＭＳメッセージを送信者のＭＭＳ−Ｃから取り出すことができる。そのＭＭＳメッセージは移動体機器３８は受信され、そこで格納され、移動体機器３８のユーザに呈示、再生、或いは表示される。従って、送信者のＭＭＳ−Ｃ２９からメッセージを取り出すのは受信者の移動体機器であり、そのメッセージをインターネットを介して受信者のＭＭＳサーバにルーティングする必要を除去している。
【００２８】
本発明のＭＭＳルーティングシステムと方法の別の実施形態が図４に図示されており、次に、受信者のＭＭＳ−Ｃ５２が送信者のＭＭＳ−Ｃ４４からＭＭＳメッセージを取り出すことも可能であることを検討する。このシナリオでは、受信者の移動体機器５８は、ＰＬＭＮ  Ｙ５６とインターネット５０との間に自分自身のＭＭＳ−Ｃ５２をもつ。送信側の移動体機器４０はＭＭＳメッセージを送信側の移動体機器のＭＭＳ−Ｃ４４にＰＬＭＮ  Ｘ４２を介して送信する。ＭＭＳ−Ｃ４４のＭＭＳサーバ４６は新しいＭＭＳメッセージの通知をＰＡＰサーバ４８に送信する。ＰＡＰサーバ４８は新しいＭＭＳメッセージ通知を受信者の移動体機器５８に送信する。受信者の移動体機器５８は、図３に関して説明したように、新しいＭＭＳメッセージの通知をＰＡＰサーバ４８から受信する。新しいＭＭＳメッセージの通知に応答して、受信者の移動体機器５８は、受信者のＭＭＳ−Ｃ５２がＭＭＳメッセージを送信者のＭＭＳ−Ｃ４４から取り出すことを要求する。新しいＭＭＳメッセージの通知は受信者のＭＭＳ−Ｃ５２をインターネット５０を介して送信者のＭＭＳ−Ｃ４４へと導き、送信者のＭＭＳ−Ｃ４４からＭＭＳメッセージを取り出すようにする情報を含む。それから、受信者のＭＭＳ−Ｃ５２はＭＭＳメッセージをＰＬＭＮ  Ｙ５６を介して受信者の移動体機器５８に転送し、そこでそのメッセージが格納され、受信者の移動体機器５８のユーザに呈示される。
【００２９】
当業者であれば、ＳＭＳを用いたＭＭＳ通知が、従来のＳＭＳメッセージがそうであるように、ＰＬＭＮとＰＳＴＮとの何らかの組み合わせを用いた通信ネットワークを介してルーティングされることを認識するであろう。例えば、送信者と受信者の移動体機器が同じＰＬＭＮに接続されているなら、ベアラとしてＳＭＳを用いたＭＭＳ通知が、同じＰＬＭＮを用いた受信者の移動体機器にルーティングされる。しかしながら、もし、送信側と受信側の移動体機器が異なるＰＬＭＮに接続されているなら、ベアラとしてＳＭＳを用いたＭＭＳ通知は、送信者のＭＭＳ−Ｃに接続されたＰＬＭＮからＰＳＴＮを介して、受信者の移動体機器のＰＬＭＮにルーティングされるであろう。従って、前述の欠点や問題は本発明のこの実施形態により同様に解決される。
【００３０】
また、当業者によって、ＭＭＳメッセージは移動体機器を発信元にする必要はないことも認識されるであろう。例えば、ＭＭＳ−Ｃが関連するＭＭＳサーバから移動体機器にそのサービスを用いて直接メッセージを送信することを望むかもしれないことも考えられる。これらのＭＭＳメッセージは移動体機器のユーザに対して、割引、特別提供品などを提供できる。また、ＭＭＳメッセージがインターネットのユーザによって移動体機器に送信されることも考えられる。この場合、ユーザはＭＭＳメッセージをコンパイルしてそのメッセージをユーザのＩＳＰを経由して移動体機器のＭＭＳ−Ｃに送信する。
【００３１】
従って、本発明は、移動体無線ネットワークからインターネットを介して同じ或いは別の移動体無線ネットワークにＭＭＳメッセージをアドレスしてルーティングする問題を解決している。アドレッシングの問題は、異なるアドレッシングプロトコルを用いた移動体無線ネットワークやインターネットが原因となる。これらの異なるアドレッシングプロトコルは、移動体無線ネットワークプロトコルでアドレスされたＭＭＳメッセージがインターネットのアドレスプロトコルに変換され、それから、再びその移動体無線ネットワークプロトコルに変換して戻されて、インターネットと移動体無線ネットワークとの間でＭＭＳメッセージを交換しなければならないことを意味している。本発明は、ＭＭＳメッセージをＭＭＳ−Ｃに送信し、ＭＭＳメッセージの通知を送信者のＭＭＳ−Ｃから受信者の移動体機器に送信して、受信側の移動体機器に対して送信者或いは受信側のＭＭＳ−Ｃからのメッセージを取り出すように伝えることにより、このアドレッシングの問題を解決している。
【００３２】
本発明のＭＭＳトラフィックのルーティング・シーケンスは、本発明がＭＳＩＤＳＮに基づくルーティングを用い、ＭＳＩＤＳＮのルーティングがシグナリング・システム７ネットワーク（ＳＳ７）によって解決されているので、ＭＳＩＤＳＮアドレスを電子メールアドレスに変換するための内部テーブルを必要としない。本発明はまた、部分的には、ＳＭＳメッセージサービスが既に適切に運用されているので、移動体無線電話ネットワークに対して実施したり導入するのには価格的により安いものとなる。ＭＭＳサーバ上で用いるＥＮＵＭのような新しくまだ認められていない標準への依存性はないからである。ルックアップのための外部或いは内部テーブルもなく、まだ認められていない標準に信頼を置いている訳でもないので、より良いサービス性能を提供している。
【００３３】
この説明では、移動体ネットワークにおけるクライアントとインターネットにおけるサーバとの間で発生する特定の通信に焦点を合わせた。しかしながら、好適な実施形態において、これらの通信は機械化されることは当業者にはすぐに明らかであろう。そのような機械化の機能は、種々の形のいずれかで実施されるかもしれない。その形にはハードワーヤードな回路や、或いは、ランダム・アクセス・メモリ（ＲＡＭ）、読出し専用メモリ（ＲＯＭ）、磁気記憶媒体（例えば、磁気テープ、ディスク、或いは、ディスケットなど）、或いは光学的記憶媒体（例えば、コンパクトディスク（ＣＤ）ＲＯＭ）などのコンピュータ可読記憶媒体に格納された適切なプログラム命令セットを実行するプロセッサが含まれるが、これに限定されるものでもない。本発明はこれらの形のいずれか、或いはその組み合わせにおいて実施されても良く、それには、そこに格納される適切なセット或いはプログラム命令をもつコンピュータ可読記憶媒体が含まれるが、これに限定されるものでもない。ここで用いられているように、“ロジック”という用語は、そのような形の複数の実施形のいずれかと全て、或いは、そのような形の実施形の一部分に言及するために用いられねばならないものである。
【００３４】
本発明を特定の実施形態について説明した。しかしながら、本発明を上述した好適な実施形態以外の具体的な形で実施することが可能であることは当業者にはすぐに明白なことである。このことは、本発明の精神を逸脱することなくなされるものである。好適な実施形態は単に例示的なものに過ぎず、これによって如何様にも限定的に考えられるべきではない。本発明の範囲は、添付した請求の範囲によって与えられるものであり、むしろ、請求項の範囲の中にある前述の説明、全ての変形例、及び同等物は、そこに包含されることが意図されている。
【図面の簡単な説明】
【図１】
ＭＭＳメッセージのフォーマットを描写した図である。
【図２】
標準的なＭＭＳトラフィックのルーティング・シーケンスを描写した図である。
【図３】
本発明のＭＭＳトラフィックのルーティング・シーケンスを描写した図である。
【図４】
本発明の別の実施形態によるＭＭＳトラフィックのルーティング・シーケンスを描写した図である。
【図１】
2004518355.tif 000003
【図２】
2004518355.tif 000004
【図３】
2004518355.tif 000005
【図４】
2004518355.tif 000006
【国際公開パンフレット】
2004518355.tif 000007
2004518355.tif 000008
2004518355.tif 000009
2004518355.tif 000010
2004518355.tif 000011
2004518355.tif 000012
2004518355.tif 000013
2004518355.tif 000014
2004518355.tif 000015
2004518355.tif 000016
2004518355.tif 000017
2004518355.tif 000018
2004518355.tif 000019
2004518355.tif 000020
2004518355.tif 000021
2004518355.tif 000022
2004518355.tif 000023
2004518355.tif 000024
2004518355.tif 000025
2004518355.tif 000026
2004518355.tif 000027
2004518355.tif 000028
2004518355.tif 000029
2004518355.tif 000030
2004518355.tif 000031
2004518355.tif 000032
【国際公開パンフレット（コレクトバージョン）】
2004518355.tif 000033
2004518355.tif 000034
【手続補正書】
【提出日】平成15年2月11日(2003.2.11)
【手続補正１】
【補正対象書類名】明細書
【補正対象項目名】特許請求の範囲
【補正方法】変更
【補正の内容】
【特許請求の範囲】
【請求項１】
移動体機器にサービスを行なうサーバにインターネットプロトコル（ＩＰ）ネットワークを介して接続された関連する送信者のサーバをもつ送信者から、前記移動体機器にサービスを提供する関連するサーバをもつ移動体機器にマルチメディアメッセージを送信する方法であって、前記方法は、
前記送信者から前記送信者のサーバに、前記移動体機器についての識別番号を含むマルチメディアメッセージを送信する工程と、
前記送信者のサーバから前記移動体機器へ、前記移動体機器についての識別番号を利用して、前記送信者のサーバのＩＰアドレスを含み、前記マルチメディアメッセージが前記送信者のサーバからの取り出しのために利用可能であることを示す通知を送信する工程と、
前記通知の受信に応答して、前記送信者のサーバからの前記マルチメディアメッセージを、前記ＩＰネットワークを介して、前記送信者のサーバの前記ＩＰアドレスを用いて、前記移動体機器により取り出す工程と、
前記マルチメディアメッセージを前記移動体機器に格納する工程とを有することを特徴とする方法。
【請求項２】
前記移動体機器は移動電話であることを特徴とする請求項１に記載の方法。
【請求項３】
第２の移動体機器から前記送信者のサーバへ前記マルチメディアメッセージを送信する工程をさらに有することを特徴とする請求項１又は２に記載の方法。
【請求項４】
前記移動体機器と前記第２の移動体機器とは移動電話であることを特徴とする請求項１乃至３のいずれかに記載の方法。
【請求項５】
前記移動電話は同じの或いは異なる公衆陸上移動体ネットワーク（ＰＬＭＮ）に在り、移動局統合サービスデジタルネットワーク（ＭＳＩＳＤＮ）識別番号でアドレスされることを特徴とする請求項４に記載の方法。
【請求項６】
前記送信者のサーバと前記移動体機器にサービスを行なうサーバとはマルチメディア・メッセージング・サービス（ＭＭＳ）サーバであることを特徴とする請求項１乃至５のいずれかに記載の方法。
【請求項７】
ベアラとしてショート・メッセージング・サービス（ＳＭＳ）を用い、前記移動体機器の移動局統合サービスデジタルネットワーク（ＭＳＩＳＤＮ）識別番号に宛てられた前記通知を送信する工程をさらに有することを特徴とする請求項１乃至６のいずれかに記載の方法。
【請求項８】
前記送信者のＭＭＳサーバからプッシュ・アクセス・プロトコル（ＰＡＰ）サーバに前記通知を送信する工程と、
前記ＰＡＰサーバからの前記通知を前記移動体機器に送信する工程とをさらに有し、
前記通知は無線アプリケーションプロトコル（ＷＡＰ）プッシュを含むことを特徴とする請求項７に記載の方法。
【請求項９】
前記ＷＡＰプッシュに応答して、前記移動体機器から前記送信者のＭＭＳサーバにハイパーテキスト・トランスファー・プロトコル（ＨＴＴＰ）ＧＥＴリクエストを送信して、自動的に前記マルチメディアメッセージを取り出す工程をさらに有することを特徴とする請求項８に記載の方法。
【請求項１０】
前記ＷＡＰプッシュに応答して、前記移動体機器から前記移動体機器にサービスを行なうサーバにハイパーテキスト・トランスファー・プロトコル（ＨＴＴＰ）ＧＥＴリクエストを送信して、自動的に前記マルチメディアメッセージを取り出す工程をさらに有することを特徴とする請求項８に記載の方法。
【請求項１１】
移動体機器にサービスを行なうサーバにインターネットプロトコル（ＩＰ）ネットワークを介して接続された関連する送信者のサーバをもつ送信者から、前記移動体機器にサービスを行なう関連するサーバをもつ宛先の移動体機器にマルチメディアメッセージを送信するシステムであって、前記システムは、
送信者のサーバには、
最初に、前記送信者から前記宛先の移動体機器についての識別番号を含むマルチメディアメッセージを受信し、
前記移動体機器の識別番号を用いて、前記移動体機器へ前記マルチメディアメッセージの、前記送信者のサーバのＩＰアドレスを含み、マルチメディアメッセージが前記送信者のサーバからの取り出しのために利用可能であることを示す通知を送信するように構成されたロジックを有し、
前記移動体機器には、
前記通知の受信に応答して、前記送信者のサーバのＩＰアドレスを用いて、前記送信者のサーバへの要求を送信し、
前記送信者のサーバから前記ＩＰネットワークを介して前記マルチメディアメッセージを取り出し、
前記マルチメディアメッセージを前記移動体機器に格納するように構成されたロジックを有することを特徴とするシステム。
【請求項１２】
前記移動体機器は移動電話であることを特徴とする請求項１１に記載のシステム。
【請求項１３】
前記送信者のサーバへ前記マルチメディアメッセージを送信するように構成されたロジックを有する第２の移動体機器をさらに有することを特徴とする請求項１１又は１２に記載のシステム。
【請求項１４】
前記移動体機器と前記第２の移動体機器とは移動電話であることを特徴とする請求項１１乃至１３のいずれかに記載のシステム。
【請求項１５】
前記移動電話は、移動局統合サービスデジタルネットワーク（ＭＳＩＳＤＮ）識別番号でアドレスされる同じの或いは異なる公衆陸上移動体ネットワーク（ＰＬＭＮ）に在ることを特徴とする請求項１４に記載のシステム。
【請求項１６】
前記送信者のサーバと前記移動体機器にサービスを行なうサーバとはマルチメディア・メッセージング・サービス（ＭＭＳ）サーバであることを特徴とする請求項１１乃至１５のいずれかに記載のシステム。
【請求項１７】
前記通知は、ベアラとしてショート・メッセージング・サービス（ＳＭＳ）を用い、前記移動体機器の移動局統合サービスデジタルネットワーク（ＭＳＩＳＤＮ）識別番号に宛てられて、前記送信者のサーバから前記移動体機器に送信されることを特徴とする請求項１１乃至１６のいずれかに記載のシステム。
【請求項１８】
前記送信者のＭＭＳサーバからの前記通知を受信し、
前記通知を前記移動体機器に送信するように構成されたロジックを有するプッシュ・アクセス・プロトコル（ＰＡＰ）サーバをさらに有し、
前記通知は無線アプリケーションプロトコル（ＷＡＰ）プッシュであることを特徴とする請求項１７に記載のシステム。
【請求項１９】
前記移動体機器には、前記ＷＡＰプッシュに応答して、前記移動体機器のＭＭＳサーバに、ハイパーテキスト・トランスファー・プロトコル（ＨＴＴＰ）ＧＥＴリクエストを送信することにより自動的に前記マルチメディアメッセージを取り出すよう構成されたロジックをさらに有することを特徴とする請求項１８に記載のシステム。
【請求項２０】
前記移動体機器には、前記ＷＡＰプッシュに応答して、前記移動体機器にサービスを行なうサーバに、ハイパーテキスト・トランスファー・プロトコル（ＨＴＴＰ）ＧＥＴリクエストを送信することにより自動的に前記マルチメディアメッセージを取り出すよう構成されたロジックをさらに有することを特徴とする請求項１８に記載のシステム。
【国際調査報告】
2004518355.tif 000035
2004518355.tif 000036
2004518355.tif 000037